【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
操作者により原稿が置かれる画像形成装置と通信可能なネットワークカメラを含む管理システムであって、
前記ネットワークカメラによって撮影することにより得られた画像データを用いて前記画像形成装置に対する操作者を検知する操作者検知手段と、
原稿が前記画像形成装置に置かれていることを検知する原稿検知手段と、
前記ネットワークカメラによって撮影することにより得られた画像データにより原稿が置かれた状態で操作者が前記画像形成装置に近づいたことを検知した場合、前記操作者検知手段で検知した原稿を置き忘れた操作者にかかる情報を通知する通知手段と、
を備えたことを特徴とする管理システム。
【請求項２】
前記通知手段は、前記ネットワークカメラによって撮影することにより得られた画像データにより原稿が原稿台へ置かれた状態で前記操作者が前記画像形成装置から離れたことを検知すると、該離れた操作者が原稿の置き忘れを認識できる方式を用いて原稿の置き忘れにかかる通知を行うことを特徴とする請求項１に記載の管理システム。
【請求項３】
前記操作者検知手段による検知結果に基づき、前記画像形成装置から離れた操作者と前記近づいた操作者とを比較する比較手段を備え、
前記通知手段は、前記比較手段による比較結果に応じた原稿の置き忘れにかかる通知を行うことを特徴とする請求項１または２に記載の管理システム。
【請求項４】
前記通知手段は、前記比較手段によって、前記離れた操作者と前記近づいた操作者とが一致しないとする比較結果を得た後、前記原稿検知手段によって原稿が原稿台から持ち去られたことを検知した場合、原稿の持ち去りにかかる通知を行うことを特徴とする請求項３に記載の管理システム。
【請求項５】
前記操作者検知手段によって、操作者が前記画像形成装置から離れたことを検知した場合、前記ネットワークカメラによって前記画像形成装置の周辺を撮影することにより得られた操作者の画像データを取得する第一操作者画像取得手段と、
前記操作者検知手段によって、前記画像形成装置に近づいた操作者を検知した場合、前記ネットワークカメラによって前記画像形成装置の周辺を撮影することにより得られた操作者の画像データを取得する第二操作者画像取得手段と、
を備え、
前記比較手段は、第一操作者画像取得手段によって取得した画像データと前記第二操作者画像取得手段によって取得した画像データとを比較することを特徴とする請求項３または４に記載の管理システム。
【請求項６】
前記比較手段は、前記原稿検知手段によって原稿が原稿台へ置かれた状態を検知した場合、前記第一操作者画像取得手段によって取得した画像データと前記第二操作者画像取得手段によって取得した画像データとを比較することを特徴とする請求項５に記載の管理システム。
【請求項７】
前記通知手段は、前記比較手段によって、前記第一操作者画像取得手段によって取得した画像データと前記第二操作者画像取得手段によって取得した画像データとが一致しない場合、原稿の置き忘れがある旨の通知を行うことを特徴とする請求項５または６に記載の管理システム。
【請求項８】
前記通知手段は、前記第一操作者画像取得手段によって取得した画像データを用いて、前記原稿の置き忘れがある旨の通知を行うことを特徴とする請求項７に記載の管理システム。
【請求項９】
前記通知手段は、前記比較手段によって、前記第一操作者画像取得手段によって取得した画像データと前記第二操作者画像取得手段によって取得した画像データとが一致する場合、前記第一操作者画像取得手段によって取得した画像データを用いることなく、前記原稿の置き忘れがある旨の通知を行うことを特徴とする請求項８に記載の管理システム。
【請求項１０】
前記通知手段は、前記第一操作者画像取得手段によって取得した画像データと前記第二操作者画像取得手段によって取得した画像データとが一致しないとする比較結果を得た後、前記原稿検知手段によって原稿が原稿台から持ち去られたことを検知した場合、原稿の持ち去りにかかる通知を行うことを特徴とする請求項５乃至９の何れか１項に記載の管理システム。
【請求項１１】
前記通知手段は、前記原稿の持ち去りにかかる通知を前記第二操作者画像取得手段によ
って取得した画像データを用いて通知を行うことを特徴とする請求項１０に記載の管理システム。
【請求項１２】
前記原稿検知手段によって原稿が原稿台から持ち去られたことを検知した後、前記操作者検知手段によって検知した操作者が前記第一操作者画像取得手段によって取得した画像データの操作者であるとき、当該操作者の原稿が持ち去されたことを通知することを特徴とする請求項１０または１１に記載の管理システム。
【請求項１３】
前記第一操作者画像取得手段によって取得した画像データと前記第二操作者画像取得手段によって取得した画像データとを対応して記憶する記憶手段を備え、
前記原稿検知手段によって原稿が原稿台から持ち去られたことを検知した後、前記操作者検知手段によって検知した操作者が前記第一操作者画像取得手段によって取得した画像データの操作者であるとき、当該操作者の原稿を持ち去った他の操作者の画像を記憶手段から取得して通知することを特徴とする請求項１０乃至１２の何れか１項に記載の管理システム。
【請求項１４】
撮影することにより得られた画像データを用いて画像形成装置に対する操作者を検知する操作者検知手段を備えたネットワークカメラと、ネットワークを介して接続された、操作者により原稿が置かれる画像形成装置であって、
原稿が前記画像形成装置に置かれていることを検知する原稿検知手段と、
前記ネットワークカメラによって撮影することにより得られた画像データにより原稿が置かれた状態で操作者が前記画像形成装置に近づいたことを検知した場合、前記操作者検知手段で検知した原稿を置き忘れた操作者にかかる情報を通知する通知手段と、
を備えたことを特徴とする画像形成装置。
【請求項１５】
操作者により原稿が置かれる画像形成装置と通信可能なネットワークカメラを含む管理システムの制御方法であって、
前記ネットワークカメラによって撮影することにより得られた画像データを用いて前記画像形成装置に対する前記操作者を検知する操作者検知ステップと、
を実行し、
前記画像形成装置は、
前記原稿が置かれていることを検知する原稿検知ステップと、
前記ネットワークカメラによって撮影することにより得られた画像データにより原稿が置かれた状態で操作者が前記画像形成装置に近づいたことを検知した場合、前記操作者検知ステップで検知した原稿を置き忘れた操作者にかかる情報を通知する通知ステップと、
を実行することを特徴とする管理システムの制御方法。
【請求項１６】
撮影することにより得られた画像データを用いて画像形成装置に対する操作者を検知する操作者検知手段を備えたネットワークカメラと、ネットワークを介して接続された、操作者により原稿が置かれる画像形成装置の制御方法であって、
前記画像形成装置は、
原稿が置かれていることを検知する原稿検知ステップと、
前記ネットワークカメラによって撮影することにより得られた画像データにより原稿が置かれた状態で操作者が前記画像形成装置に近づいたことを検知した場合、前記操作者検知手段で検知した原稿を置き忘れた操作者にかかる情報を通知する通知ステップと、
を実行することを特徴とする画像形成装置の制御方法。
【請求項１７】
ネットワークカメラのコンピュータを、
画像形成装置に対する操作者を検知する操作者検知手段と
して機能させ、
前記画像形成装置のコンピュータを、
原稿が置かれていることを検知する原稿検知手段と、
前記ネットワークカメラによって撮影することにより得られた画像データにより原稿が置かれた状態で操作者が前記画像形成装置に近づいたことを検知した場合、前記操作者検知手段で検知した原稿を置き忘れた操作者にかかる情報を通知する通知手段と、
して機能させるためのプログラム。
【手続補正２】
【補正対象書類名】明細書
【補正対象項目名】発明の名称
【補正方法】変更
【補正の内容】
【発明の名称】画像形成装置、管理システム、制御方法、及びプログラム
【手続補正３】
【補正対象書類名】明細書
【補正対象項目名】００１０
【補正方法】変更
【補正の内容】
【００１０】
そこで、本発明では、置き忘れた原稿の持ち主から当該原稿が第三者に渡ることを抑止することが可能な仕組みを提供することを目的とする。
【手続補正４】
【補正対象書類名】明細書
【補正対象項目名】００１１
【補正方法】変更
【補正の内容】
【００１１】
上記課題を解決するための第一の発明は、操作者により原稿が置かれる画像形成装置と通信可能なネットワークカメラを含む管理システムであって、前記ネットワークカメラによって撮影することにより得られた画像データを用いて前記画像形成装置に対する操作者を検知する操作者検知手段と、原稿が前記画像形成装置に置かれていることを検知する原稿検知手段と、前記ネットワークカメラによって撮影することにより得られた画像データにより原稿が置かれた状態で操作者が前記画像形成装置に近づいたことを検知した場合、前記操作者検知手段で検知した原稿を置き忘れた操作者にかかる情報を通知する通知手段と、を備えたことを特徴とする。
【手続補正５】
【補正対象書類名】明細書
【補正対象項目名】００１２
【補正方法】変更
【補正の内容】
【００１２】
上記課題を解決するための第二の発明は、撮影することにより得られた画像データを用いて画像形成装置に対する操作者を検知する操作者検知手段を備えたネットワークカメラと、ネットワークを介して接続された、操作者により原稿が置かれる画像形成装置であって、
原稿が前記画像形成装置に置かれていることを検知する原稿検知手段と、前記ネットワークカメラによって撮影することにより得られた画像データにより原稿が置かれた状態で操作者が前記画像形成装置に近づいたことを検知した場合、前記操作者検知手段で検知した原稿を置き忘れた操作者にかかる情報を通知する通知手段と、を備えたことを特徴とする。
【手続補正６】
【補正対象書類名】明細書
【補正対象項目名】００１３
【補正方法】変更
【補正の内容】
【００１３】
上記課題を解決するための第三の発明は、操作者により原稿が置かれる画像形成装置と通信可能なネットワークカメラを含む管理システムの制御方法であって、前記ネットワークカメラによって撮影することにより得られた画像データを用いて前記画像形成装置に対する前記操作者を検知する操作者検知ステップと、を実行し、前記画像形成装置は、前記原稿が置かれていることを検知する原稿検知ステップと、前記ネットワークカメラによって撮影することにより得られた画像データにより原稿が置かれた状態で操作者が前記画像形成装置に近づいたことを検知した場合、前記操作者検知ステップで検知した原稿を置き忘れた操作者にかかる情報を通知する通知ステップと、を実行することを特徴とする。
【手続補正７】
【補正対象書類名】明細書
【補正対象項目名】００１４
【補正方法】変更
【補正の内容】
【００１４】
上記課題を解決するための第四の発明は、撮影することにより得られた画像データを用いて画像形成装置に対する操作者を検知する操作者検知手段を備えたネットワークカメラと、ネットワークを介して接続された、操作者により原稿が置かれる画像形成装置の制御方法であって、前記画像形成装置は、原稿が置かれていることを検知する原稿検知ステップと、前記ネットワークカメラによって撮影することにより得られた画像データにより原稿が置かれた状態で操作者が前記画像形成装置に近づいたことを検知した場合、前記操作者検知手段で検知した原稿を置き忘れた操作者にかかる情報を通知する通知ステップと、を実行することを特徴とする。
【手続補正８】
【補正対象書類名】明細書
【補正対象項目名】００１５
【補正方法】変更
【補正の内容】
【００１５】
上記課題を解決するための第五の発明は、ネットワークカメラのコンピュータを、
画像形成装置に対する操作者を検知する操作者検知手段として機能させ、前記画像形成装置のコンピュータを、原稿が置かれていることを検知する原稿検知手段と、前記ネットワークカメラによって撮影することにより得られた画像データにより原稿が置かれた状態で操作者が前記画像形成装置に近づいたことを検知した場合、前記操作者検知手段で検知した原稿を置き忘れた操作者にかかる情報を通知する通知手段と、して機能させるためのプログラム。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
本発明により、置き忘れた原稿の持ち主から当該原稿が第三者に渡るリスクを効果的に抑止することができる、という効果を奏する。